【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
撮像領域から磁気共鳴データを取得する磁気共鳴撮像システムであって、
マシン実行可能命令及びパルスシーケンスデータを含むメモリと、
前記磁気共鳴撮像システムを制御するプロセッサと、
を含み、
前記パルスシーケンスデータは、ＳＥＭＡＣ磁気共鳴撮像法を記述し、
前記パルスシーケンスデータは、視野の２次元スライスのスタックの取得を指定し、
前記パルスシーケンスデータは、垂直方向における位相符号化を更に指定し、
前記垂直方向は、前記２次元スライスに対して垂直であり、
前記パルスシーケンスデータは、最大ＳＥＭＡＣ係数を指定し、
前記最大ＳＥＭＡＣ係数は、前記２次元スライスのそれぞれの前記垂直方向における位相符号化ステップの最大数を指定し、
前記マシン実行可能命令の実行は、前記プロセッサに、
前記パルスシーケンスデータにおいて、前記視野外のボリュームに対して符号化する選択された位相符号化を特定させ、
前記２次元スライスのスタックの各２次元スライスについて、スライスＳＥＭＡＣ係数を決定させ、
前記２次元スライスのスタックを複数のパッケージに分けることによって、前記パルスシーケンスデータを変更させ、
前記選択された位相符号化の少なくとも幾つかを除外するために、前記複数のパッケージから選択されるパッケージのプロファイル順序を再順序付けすることによって、前記パルスシーケンスデータを変更させ、プロファイルの取得の連続的な連なりをもたらし、
前記パルスシーケンスデータを用いて前記磁気共鳴撮像システムを制御することによって、前記磁気共鳴データを取得させ、
前記スライスＳＥＭＡＣ係数は、前記２次元スライスのスタックの各スライスにおける選択された位相符号化の数を決定し、前記数を前記最大ＳＥＭＡＣ係数から引くことによって計算され、
前記複数のパッケージの各パッケージにおけるスライスは、前記垂直方向における外側線形プロファイルを使用して順序付けられ、これにより外側線形プロファイルによる順序付けは同じ位相符号化を有するスライスを１つにまとめることを意味し、
前記２次元スライスのスタックは、所定範囲内のスライスＳＥＭＡＣ係数を有するスライスをまとめることによって、前記複数のパッケージに分けられ、
前記複数のパッケージの各パッケージは、一連のパルスシーケンス反復として取得される、磁気共鳴撮像システム。
【請求項２】
前記パッケージの前記プロファイル順序は、前記選択された位相符号化の前記少なくとも幾つかを選択されたパルスシーケンス反復と取り換えることによって、前記選択された位相符号化の前記少なくとも幾つかを除外するように再順序付けされ、前記パッケージは、前記複数のパッケージのうちの１つであり、前記選択されたパルスシーケンス反復は、前記パッケージの前記一連のパルスシーケンス反復のうちの１つ以上のパルスシーケンス反復である、請求項１に記載の磁気共鳴撮像システム。
【請求項３】
前記選択された位相符号化の前記少なくとも幾つかは、前記選択されたパルスシーケンス反復が前記選択された位相符号化の少なくとも一部で完全に埋まっている場合に、前記選択されたパルスシーケンス反復を省略することによって前記パッケージを切り縮めることによって除外される、請求項２に記載の磁気共鳴撮像システム。
【請求項４】
前記２次元スライスのスタックの各スライスは、スライス幅を有し、前記垂直方向における各位相符号化は、前記スライス幅に等しいオフセットに対応する、請求項１乃至３の何れか一項に記載の磁気共鳴撮像システム。
【請求項５】
前記一連のパルスシーケンス反復の各パルスシーケンス反復は、前記パッケージの各スライスからの前記磁気共鳴データの１つの測定結果を含む、請求項１乃至４の何れか一項に記載の磁気共鳴撮像システム。
【請求項６】
前記パルスシーケンスデータは、視野角傾斜スピンエコーシーケンスを使用する視野の２次元スライスのスタックの取得を指定する、請求項１乃至５の何れか一項に記載の磁気共鳴撮像システム。
【請求項７】
前記マシン実行可能命令の実行は、前記プロセッサに、前記ＳＥＭＡＣ磁気共鳴撮像法に従って前記磁気共鳴データから磁気共鳴画像を再構成させる、請求項１乃至６の何れか一項に記載の磁気共鳴撮像システム。
【請求項８】
パルスシーケンスデータを用いて磁気共鳴撮像システムを制御することによって、撮像領域から磁気共鳴データを取得する前記磁気共鳴撮像システムを動作させる方法であって、
前記パルスシーケンスデータは、ＳＥＭＡＣ磁気共鳴撮像法を記述し、
前記パルスシーケンスデータは、視野の２次元スライスのスタックの取得を指定し、
前記パルスシーケンスデータは、垂直方向における位相符号化を更に指定し、
前記垂直方向は、前記２次元スライスに対して垂直であり、
前記パルスシーケンスデータは、最大ＳＥＭＡＣ係数を指定し、
前記最大ＳＥＭＡＣ係数は、前記２次元スライスのそれぞれの２次元スライスの前記垂直方向における位相符号化ステップの最大数を指定し、
前記方法は、
前記視野外のボリュームに対して符号化する選択された位相符号化を、前記パルスシーケンスデータにおいて特定するステップと、
前記２次元スライスのスタックの各２次元スライスについて、スライスＳＥＭＡＣ係数を決定するステップと、
前記２次元スライスのスタックを複数のパッケージに分けることによって、前記パルスシーケンスデータを変更するステップと、
前記選択された位相符号化の少なくとも幾つかを除外するために、前記複数のパッケージから選択されるパッケージのプロファイル順序を再順序付けすることによって、前記パルスシーケンスデータを変更させ、プロファイルの取得の連続的な連なりをもたらすステップと、
前記パルスシーケンスデータを用いて前記磁気共鳴撮像システムを制御することによって、前記磁気共鳴データを取得するステップと、
を含み、
前記スライスＳＥＭＡＣ係数は、前記２次元スライスのスタックの各スライスにおける選択された位相符号化の数を決定し、前記数を前記最大ＳＥＭＡＣ係数から引くことによって計算され、
前記複数のパッケージの各パッケージにおけるスライスは、前記垂直方向における外側線形プロファイルを使用して順序付けられ、これにより外側線形プロファイルによる順序付けは同じ位相符号化を有するスライスを１つにまとめることを意味し、
前記２次元スライスのスタックは、所定範囲内のスライスＳＥＭＡＣ係数を有するスライスをまとめることによって、前記複数のパッケージに分けられ、
前記複数のパッケージの各パッケージは、一連のパルスシーケンス反復として取得される、方法。
【請求項９】
前記パッケージの前記プロファイル順序は、前記選択された位相符号化の前記少なくとも幾つかを選択されたパルスシーケンス反復と取り換えることによって、前記選択された位相符号化を除外するように再順序付けされ、前記パッケージは、前記複数のパッケージのうちの１つであり、前記選択されたパルスシーケンス反復は、前記パッケージの前記一連のパルスシーケンス反復のうちの１つ以上のパルスシーケンス反復である、請求項８に記載の方法。
【請求項１０】
前記選択された位相符号化の前記少なくとも幾つかは、前記選択されたパルスシーケンスが前記選択され省略された位相符号化の前記少なくとも幾つかの少なくとも一部で完全に埋まっている場合に、前記選択されたパルスシーケンス反復を省略することによって前記パッケージを切り縮めることによって除外される、請求項９に記載の方法。
【請求項１１】
前記２次元スライスのスタックの各スライスは、スライス幅を有し、前記垂直方向における各位相符号化は、前記スライス幅に等しいオフセットに対応する、請求項８乃至１０の何れか一項に記載の方法。
【請求項１２】
前記一連のパルスシーケンス反復の各パルスシーケンス反復は、前記パッケージの各スライスからの前記磁気共鳴データの１つの測定結果を含む、請求項８乃至１１の何れか一項に記載の方法。
【請求項１３】
前記ＳＥＭＡＣ磁気共鳴撮像法に従って前記磁気共鳴データから磁気共鳴画像を再構成するステップを更に含む、請求項８乃至１２の何れか一項に記載の方法。
【請求項１４】
磁気共鳴撮像システムを制御するプロセッサによる実行のためのマシン実行可能命令を含むコンピュータプログラムであって、
前記磁気共鳴撮像システムは、撮像領域から磁気共鳴データを取得するように構成され、
前記磁気共鳴撮像システムは、
パルスシーケンスデータを含むメモリを含み、
前記パルスシーケンスデータは、ＳＥＭＡＣ磁気共鳴撮像法を記述し、
前記パルスシーケンスデータは、視野の２次元スライスのスタックの取得を指定し、
前記パルスシーケンスデータは、垂直方向における位相符号化を更に指定し、
前記垂直方向は、前記２次元スライスに対して垂直であり、
前記パルスシーケンスデータは、最大ＳＥＭＡＣ係数を指定し、
前記最大ＳＥＭＡＣ係数は、前記２次元スライスのそれぞれの前記垂直方向における位相符号化ステップの最大数を指定し、
前記マシン実行可能命令の実行は、前記プロセッサに、
前記パルスシーケンスデータにおいて、前記視野外のボリュームに対して符号化する選択された位相符号化を特定させ、
前記２次元スライスのスタックの各２次元スライスについて、スライスＳＥＭＡＣ係数を決定させ、
前記２次元スライスのスタックを複数のパッケージに分けることによって、前記パルスシーケンスデータを変更させ、
前記選択された位相符号化の少なくとも幾つかを除外するために、前記複数のパッケージから選択されるパッケージのプロファイル順序を再順序付けすることによって、前記パルスシーケンスデータを変更させ、プロファイルの取得の連続的な連なりをもたらし、
前記パルスシーケンスデータを用いて前記磁気共鳴撮像システムを制御することによって、前記磁気共鳴データを取得させ、
前記スライスＳＥＭＡＣ係数は、前記２次元スライスのスタックの各スライスにおける選択された位相符号化の数を決定し、前記数を前記最大ＳＥＭＡＣ係数から引くことによって計算され、
前記複数のパッケージの各パッケージにおけるスライスは、前記垂直方向における外側線形プロファイルを使用して順序付けられ、これにより外側線形プロファイルによる順序付けは同じ位相符号化を有するスライスを１つにまとめることを意味し、
前記２次元スライスのスタックは、所定範囲内のスライスＳＥＭＡＣ係数を有するスライスをまとめることによって、前記複数のパッケージに分けられ、
前記複数のパッケージの各パッケージは、一連のパルスシーケンス反復として取得される、コンピュータプログラム。